【手続補正書】
【提出日】平成18年11月17日(2006.11.17)
【手続補正１】
【補正対象書類名】明細書
【補正対象項目名】請求項１
【補正方法】変更
【補正の内容】
【請求項１】
枚葉紙がパイルから１枚ずつばらばらにされて、テーブル上へ搬送され、個別に前記枚葉紙の前縁用の整列用当てに突き当たるように送られ、そして、枚葉紙処理機械内での処理のためにここから１枚ずつさらに搬送され、この際に、前記整列用当てに平行に配置されて固定され各々が超音波発信機および超音波受信機を含む、伝送ユニット内で作動する超音波検出器を用い、枚葉紙の整列が正しくない場合に信号を発生する、枚葉紙処理機械への枚葉紙の供給を制御する方法において、
規定された間隔で配置された２つの超音波発信機と、付属の超音波受信機（２６．１，２６．２）を用い、
前記超音波発信機（２５．１，２５．２）の各々から発せられた、前記枚葉紙（９）の搬送方向の音エネルギの流れの音の強度を、測定窓の全面にわたって実質的に一定に保持し、
前記測定窓を通過する全ての音エネルギを、前記超音波受信機（２６．１，２６．２）によって検出し、
前記超音波受信機（２６．１，２６．２）によって前記音エネルギを測定するのと同時に、前記音エネルギの差を測定することを特徴とする、枚葉紙の供給を制御する方法。
【手続補正２】
【補正対象書類名】明細書
【補正対象項目名】請求項６
【補正方法】変更
【補正の内容】
【請求項６】
枚葉紙の搬送方向に見て、整列用当てによって形成されたラインの前に、超音波発信機および超音波受信機が対をなして備えられており、それによって、測定窓内に入る枚葉紙が音エネルギを通過させるようになっている、枚葉紙処理機械への枚葉紙の給紙の際に整列用当てのところにある枚葉紙を検出する装置において、
各超音波発信機（２５．１，２５．２）から前記枚葉紙（９）の搬送方向（２９）に対し垂直に放射される音エネルギの流れが、超音波検出器（２５．１，２５．２，２６．１，２６．２）に付属した測定窓の全面にわたって一定の音の強度を備えており、
前記超音波受信機（２６．１，２６．２）が、前記測定窓を通過する全ての前記音エネルギを検出し、
前記超音波受信機（２６．１，２６．２）が、差分器に接続されていることを特徴とする、枚葉紙を検出する装置。
【手続補正３】
【補正対象書類名】明細書
【補正対象項目名】請求項７
【補正方法】変更
【補正の内容】
【請求項７】
前記枚葉紙（９）の搬送方向に見て、前記整列用当て（１３．１〜１３．４）により形成されたライン（２８）の後に、伝送ユニット内で作動する他の超音波検出器（２５．３，２６．３）を備えている、請求項６に記載の装置。
【手続補正４】
【補正対象書類名】明細書
【補正対象項目名】０００９
【補正方法】変更
【補正の内容】
【０００９】
【課題を解決するための手段】
この目的は、枚葉紙がパイルから１枚ずつばらばらにされて、テーブル上へ搬送され、個別に枚葉紙の前縁用の整列用当てに突き当たるように送られ、そして、枚葉紙処理機械内での処理のためにここから１枚ずつさらに搬送され、この際に、整列用当てに平行に配置されて固定され各々が超音波発信機および超音波受信機を含む、伝送ユニット内で作動する超音波検出器を用いて、枚葉紙の整列が正しくない場合に信号を発生する、枚葉紙処理機械への枚葉紙の供給を制御する方法において、規定された間隔で配置された２つの超音波発信機と、付属の超音波受信機を用い、超音波発信機の各々から発せられた、枚葉紙の搬送方向の音エネルギの流れの音の強度を、測定窓の全面にわたって実質的に一定に保持し、測定窓を通過する全ての音エネルギを、超音波受信機により検出し、超音波受信機によって音エネルギを測定するのと同時に、それらの音エネルギの差を測定することを特徴とする方法によって達成される。
【手続補正５】
【補正対象書類名】明細書
【補正対象項目名】００１０
【補正方法】変更
【補正の内容】
【００１０】
また、枚葉紙の搬送方向に見て、整列用当てによって形成されたラインの前に超音波発信機および超音波受信機が対をなして備えられており、それによって、測定窓内に入る枚葉紙が音エネルギを通過させるようになっている、枚葉紙処理機械への枚葉紙の給紙の際に整列用当てのところにある枚葉紙を検出する装置において、各超音波発信機から枚葉紙の搬送方向に対し垂直に放射される音エネルギの流れが、超音波センサに付属した測定窓の全面にわたって一定の音の強度を備えており、超音波受信機が、測定窓を通過する全ての音エネルギを検出し、超音波受信機が、差分器に接続されていることを特徴とする、枚葉紙を検出する装置が、この方法の実行に適している。好適な構成は特許請求の範囲の従属項に記載されている。
【手続補正６】
【補正対象書類名】明細書
【補正対象項目名】００１４
【補正方法】変更
【補正の内容】
【００１４】
図１には、本発明の方法を実行することができる、枚葉紙印刷機の枚葉紙供給装置の概略が示されている。枚葉紙パイル１は、垂直案内部材４と作動シリンダ５とから構成される昇降装置３に連結された紙載せ台２の上に置かれている。枚葉紙パイル１の上方には、吸引部８を有する吸引ヘッド７を含む分離装置６が配置されている。吸引ヘッド７は、分離された枚葉紙９を搬送するために、縦方向案内部材１０により水平に往復動可能である。給紙台１１は、枚葉紙印刷機の、後方に配置された印刷ユニット１２でさらに処理するために枚葉紙９を準備するために用いられる。枚葉紙９は、ずれ重なった状態で給紙台１１上へ搬送される。印刷のために準備された次の各枚葉紙９は、整列された状態で整列用当て１３に接している。整列用当て１３は、作動シリンダ１４により、周期的に、給紙台１１の載置面の高さより下方へ引き込まれ得る。揺動くわえづめ１５は、そのつど、整列用当て１３に供給された枚葉紙９をそれぞれその前縁１６で捕捉し、そして、枚葉紙９を印刷ユニット１２の圧胴１８のくわえづめ装置１７へ渡す。圧胴１８、ブランケット胴１９、および版胴２０は、歯車列に連結されており、そしてモータ２１によって同期して駆動される。吸引ヘッド７の駆動装置、作動シリンダ５，１４、モータ２１、および回転発信機２３は、制御・調整装置２４に接続されている。枚葉紙９の供給を制御するために、整列用当て１３に平行に、複数の超音波発信機２５および超音波受信機２６が備えられている。給紙台１１の開口２７は、音が通過することを可能にする。超音波発信機２５および超音波受信機２６は、同じく制御・調整装置２４に接続されている。
【手続補正７】
【補正対象書類名】明細書
【補正対象項目名】００１９
【補正方法】変更
【補正の内容】
【００１９】
図３（ｃ）に図示したものは、２つの枚葉紙９．１，９．２が同時に供給される状態を示している。各枚葉紙９．１，９．２は、同じく伝送値を１／１００の割合に低減するものと仮定する。この場合、超音波検出器２５．１，２６．１もしくは２５．２，２６．２では、伝送値Ｔ１＝Ｔ２＝０．０１×０．０１＝０．０００１となる。制御・調整装置２４により、いわゆる二重給紙が生じているという信号がこの制御・調整装置２４から得られる。その結果、枚葉紙９，９．１，９．２の供給を停止することができる。
【手続補正８】
【補正対象書類名】明細書
【補正対象項目名】００２１
【補正方法】変更
【補正の内容】
【００２１】
図３（ｅ）には、図３（ｄ）のように、先行する枚葉紙９．４が揺動くわえづめ１５により印刷ユニット１２に同時に搬送される間、斜紙９．３が供給される場合が示されている。図３とは反対に、伝送値Ｔ１，Ｔ２は、上に置かれた枚葉紙９．４によりそれぞれ１／１００の割合に低減され、すなわち、Ｔ１＝Ｏ．２×０．０１＝０．００２、およびＴ２＝０．８×０．０１＝０．００８となる。ここで差Ｔ２−Ｔ１も求められ、この結果、斜紙９．３の信号が得られ、曲がった姿勢が角度によって示され得る。斜紙９．３の曲がり角度の値は、調整部材、すなわち例えば、整列用当て１３．１〜１３．４で前縁１６．３の正確な整列を行う移動可能な側縁移動当てのような調整部材による方向付けのために利用することができる。差Ｔ２−Ｔ１は、超音波受信機２６．１、２６．２のブリッジ回路により得ることができる。